【手続補正書】
【提出日】平成15年10月16日(2003.10.16)
【手続補正１】
【補正対象書類名】明細書
【補正対象項目名】発明の名称
【補正方法】変更
【補正の内容】
【発明の名称】マトリクス型表示装置及び画像データ表示方法


【手続補正２】
【補正対象書類名】明細書
【補正対象項目名】特許請求の範囲
【補正方法】変更
【補正の内容】
【特許請求の範囲】
【請求項１】
外部から入力される画像データを少なくとも１フレーム以上記憶可能なグラフィックスメモリと、
前記外部から入力される画像データのフレーム毎の当該グラフィックスメモリへの書込完了時に書込完了信号を出力するメモリデータ書込制御回路と、
前記書込完了信号とフレーム同期信号とに基づいて、読出開始信号を出力する同期化回路と、
前記読出開始信号に基づいて、前記グラフィックスメモリに記憶された画像データを読み出すデータ読出制御回路と、
前記グラフィックスメモリから読み出された画像データを記憶するフレームメモリと、
自回路内で発生するクロック信号に基づいて、前記フレームメモリに記憶された画像データを読み出すと共に、複数の信号線を駆動するための制御信号を出力し、かつ、前記フレーム同期信号を出力する信号電極駆動回路と、
前記フレーム同期信号に基づいて、複数の走査線を駆動するための制御信号を出力する走査電極駆動回路と、
前記複数の信号線と、当該信号線と直交する方向に配線された前記複数の走査線との交点に画素部が設けられた表示パネルと
を備えるマトリクス型表示装置。
【請求項２】
フレーム同期信号を所定量遅延した読出同期信号を出力する遅延回路を備え、
同期化回路は、書込完了信号と当該読出同期信号とに基づいて、読出開始信号を出力する
ことを特徴とする請求項１に記載のマトリクス型表示装置。
【請求項３】
同期化回路は、書込完了信号を受信した後、初めてフレーム同期信号、又は読出同期信号が入力された場合に読出開始信号を出力すること
を特徴とする請求項１又は２に記載のマトリクス型表示装置。
【請求項４】
読出同期信号の遅延量は、
フレームメモリに記憶された所定のフレームの画像データを当該フレームメモリから読み出す処理の完了後から、
グラフィックスメモリに記憶された当該所定のフレームの次のフレームの画像データを当該グラフィックスメモリから読み出す処理の完了前までの期間であること
を特徴とする請求項２又は３に記載のマトリクス表示装置。
【請求項５】
外部から入力される画像データを少なくとも１フレーム以上記憶する第１の記憶ステップと、
前記外部から入力される画像データのフレーム毎の書込完了時に書込完了信号を出力する書込完了ステップと、
前記書込完了信号とフレーム同期信号とに基づいて、読出開始信号を出力する読出開始ステップと、
前記読出開始信号に基づいて、前記第１の記憶ステップで記憶された画像データを読み出す読み出しステップと、
前記読み出しステップにて読み出された画像データを記憶する第２の記憶ステップと、
クロック信号を発生し、当該クロック信号に基づいて、前記第２の記憶ステップで記憶された画像データを読み出すと共に、複数の信号線を駆動するための制御信号を出力し、かつ、前記フレーム同期信号を出力する信号電極駆動ステップと、
前記フレーム同期信号に基づいて、複数の走査線を駆動するための制御信号を出力する走査電極駆動ステップと、
前記複数の信号線と、当該信号線と直交する方向に配線された前記複数の走査線との交点に画素部が設けられた表示パネルに、前記信号電極駆動ステップにて読み出された画像データを表示する表示ステップと
を備える画像データ表示方法。
【手続補正３】
【補正対象書類名】明細書
【補正対象項目名】００１８
【補正方法】変更
【補正の内容】
【００１８】
【課題を解決するための手段】
この発明に係るマトリクス型表示装置は、
外部から入力される画像データを少なくとも１フレーム以上記憶可能なグラフィックスメモリと、
外部から入力される画像データのフレーム毎の当該グラフィックスメモリへの書込完了時に書込完了信号を出力するメモリデータ書込制御回路と、
書込完了信号とフレーム同期信号とに基づいて、読出開始信号を出力する同期化回路と、
前記読出開始信号に基づいて、グラフィックスメモリに記憶された画像データを読み出すデータ読出制御回路と、
グラフィックスメモリから読み出された画像データを記憶するフレームメモリと、
自回路内で発生するクロック信号に基づいて、フレームメモリに記憶された画像データを読み出すと共に、複数の信号線を駆動するための制御信号を出力し、かつ、フレーム同期信号を出力する信号電極駆動回路と、
フレーム同期信号に基づいて、複数の走査線を駆動するための制御信号を出力する走査電極駆動回路と、
複数の信号線と、当該信号線と直交する方向に配線された複数の走査線との交点に画素部が設けられた表示パネルと
を備えることとしたものである。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００５７
【補正方法】変更
【補正の内容】
【００５７】
【発明の効果】
本発明は、以上説明したように構成されているので、以下に示すような効果を奏する。
すなわち、マトリクス型表示パネルのフレーム周期と同期されて画像データがグラフィックスメモリからフレームメモリに転送されるため、フレームメモリへの画像データの転送処理と、フレームメモリから信号電極駆動回路への画像データの読み出し処理が同一アドレスに一致しないようになり、マトリクス型表示パネルに表示される画像の１フレームの途中で次の１フレームの画像に切り替わらなくなるようにデータ転送を制御するので、動画像を表示させたときに、１画面の上部と下部の画像内容が時間的にずれる事態が発生しなくなり、なめらかな映像を表示することができる。


【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６０
【補正方法】削除
【補正の内容】
【手続補正１７】
【補正対象書類名】明細書
【補正対象項目名】００６１
【補正方法】削除
【補正の内容】
【手続補正１８】
【補正対象書類名】明細書
【補正対象項目名】００６２
【補正方法】削除
【補正の内容】
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】削除
【補正の内容】
【手続補正２１】
【補正対象書類名】明細書
【補正対象項目名】００６５
【補正方法】削除
【補正の内容】
【手続補正２２】
【補正対象書類名】明細書
【補正対象項目名】００６６
【補正方法】削除
【補正の内容】